(57)【要約】【課題】衛生洗浄装置等から延びる給水管等を、容易に水洗大便器の後方へ引き出すことができるトイレ装置を提供する。【解決手段】本発明は、トイレ装置(1)であって、汚物を受けるボウル部(2a)と、このボウル部内の汚物及び洗浄水を排出するための排水トラップ管路(2b)と、を備えた水洗大便器本体(2)と、この水洗大便器本体のボウル部上方に配置された便座機能装置(4)と、この便座機能装置よりも後方の、水洗大便器本体の上面に載置された貯水タンク(6)と、を有し、貯水タンクの底面(6d)には、便座機能装置から延びる給水管(8)及び電気ケーブル(10)が、水洗大便器本体の平坦に形成された上面(2c)と、この上面に載置された貯水タンクの底面との間を通って水洗大便器本体の後方の縁部まで延びることを可能にする切欠部(2e)が設けられ、切欠部は、正面視において便座機能装置の後方に隠蔽されることを特徴としている。【選択図】図１
2019138022.tif 000002
【特許請求の範囲】
【請求項１】
貯水タンク内に貯留された洗浄水により洗浄を行うトイレ装置であって、
汚物を受けるボウル部と、このボウル部内の汚物及び洗浄水を排出するための排水トラップ管路と、を備えた水洗大便器本体と、
この水洗大便器本体の上記ボウル部上方に配置された便座機能装置と、
この便座機能装置よりも後方の、上記水洗大便器本体の上面に載置された貯水タンクと、を有し、
上記貯水タンクの底面には、上記便座機能装置から延びる給水管及び／又は電気ケーブルが、上記水洗大便器本体の上面と、この上面に載置された上記貯水タンクの底面との間を通って上記水洗大便器本体の後方の縁部まで延びることを可能にする切欠部が設けられ、
上記切欠部は、正面視において上記便座機能装置の後方に隠蔽されることを特徴とするトイレ装置。
【請求項２】
上記切欠部は、上記貯水タンクの底面の側方縁部に沿って、上記貯水タンクの前端から後端まで延びている請求項１記載のトイレ装置。
【請求項３】
上記切欠部には、上記切欠部の中に配置された上記給水管及び／又は上記電気ケーブルが、上記貯水タンクの側方にはみ出すのを規制するための規制部が設けられている請求項２記載のトイレ装置。
【請求項４】
上記切欠部は、上記貯水タンクの底面に、上記貯水タンクの前端から後端まで延びるように形成された溝により形成されている請求項１記載のトイレ装置。
【請求項５】
上記貯水タンクは、洗浄水を収容する内側タンクと、この内側タンクの外側を覆う外装タンクと、を備え、上記溝は上記外装タンクの底面に設けられると共に、上記外装タンクの底面の側縁と上記溝との間には、上記外装タンクの内側に溜まった水を排出するための水抜穴が形成されている請求項４記載のトイレ装置。
【請求項６】
上記貯水タンクの底面には、上記溝の中に収容した上記給水管及び／又は上記電気ケーブルを、上記溝の中に保持するための保持部材が設けられている請求項４又は５に記載のトイレ装置。
【発明の詳細な説明】
【技術分野】
【０００１】
本発明はトイレ装置に関し、特に、貯水タンク内に貯留された洗浄水により洗浄を行うトイレ装置に関する。
【背景技術】
【０００２】
現在、局部洗浄機能等を備えた便座である便座機能装置が広く普及している。これらの便座機能装置からは、局部洗浄用の洗浄水を供給するための給水管や、便座機能装置を作動させるための電源コード等の電気ケーブルが延びており、これらは通常、水洗大便器の後方に設けられた給水タップや、コンセントに接続される。
【０００３】
特開平６−６５９５５号公報（特許文献１）には温水洗浄装置が記載されている。この温水洗浄装置は、水洗大便器本体の上面に載置して使用され、その後部側面から洗浄水を供給するための通水管及び電線が延びている。これら側面から延びる通水管及び電線は、温水洗浄装置の底面後端縁に設けられた切欠部の中を通って反対側の側面まで引き回され、反対側の側面近傍に設けられた分岐栓及びコンセントに夫々接続される。特許文献１記載の温水洗浄装置では、このように、通水管及び電線を温水洗浄装置の切欠部の中に通すことにより、分岐栓やコンセントが反対側に設けられている場合でも、通水管や電線の引き回しを短くすることを可能にしている。
【０００４】
特開２０１２−１６７４７８号公報（特許文献２）にはトイレ装置が記載されている。このトイレ装置においては、便器本体の上に載置された衛生洗浄装置の後端から延びる給水管を、便器本体の上面と洗浄水タンクの底面との間に配置された保持部材によって適所に保持することにより、トイレ装置の側方から外側に露出した給水管が損傷されるのを防止している。
【０００５】
特開２００８−９５３９６号公報（特許文献３）にはトイレ装置が記載されている。このトイレ装置においては、水洗便器の上面の後方に開口が設けられ、衛生洗浄装置に水を供給する給水管や、電力を供給する電源コードが、水洗便器の開口を通して水洗便器の後方に引き出されている。これにより、衛生洗浄装置から延びる給水管や電源コードを隠蔽し、美観を向上させている。
【先行技術文献】
【特許文献】
【０００６】
【特許文献１】特開平６−６５９５５号公報
【特許文献２】特開２０１２−１６７４７８号公報
【特許文献３】特開２００８−９５３９６号公報
【発明の概要】
【発明が解決しようとする課題】
【０００７】
しかしながら、特許文献１に記載の温水洗浄装置においては、通水管及び電線が温水洗浄装置の側方に突出しているので、水洗便器を正面から見たとき、通水管や電線が目につき、トイレ装置全体の美観が損なわれてしまうという問題がある。
また、特許文献２及び３に記載のトイレ装置においては、衛生洗浄装置の後端から延びる給水管や電源コードが、水洗便器の上面に設けられた開口や凹部の中を通って水洗便器の後方へ延びている。このため、水洗便器の正面視において給水管や電源コードが露出せず、トイレ装置の意匠性を向上させることができる。
【０００８】
しかしながら、特許文献２及び３に記載のトイレ装置においては、給水管や電源コードを水洗便器の上面に設けた開口や凹部に通して、これらを後方に引き出す必要があるため、衛生洗浄装置の設置時における作業性が悪いという問題がある。また、水洗便器の上面に開口を設けると、偶発的に水洗便器の上面に流れた水が開口を通して水洗便器の内部に侵入してしまうおそれがあり、これを回避するためには水の侵入を阻止するためのパッキン等が必要となり、構造が複雑になるという問題がある。
【０００９】
従って、本発明は、衛生洗浄装置等の便座機能装置から延びる給水管及び／又は電気ケーブルを、容易に水洗便器（水洗大便器）の後方へ引き出すことができると共に、正面視において給水管や電気ケーブルが隠蔽された意匠性に優れたトイレ装置を提供することを目的としている。
【課題を解決するための手段】
【００１０】
上述した課題を解決するために、本発明は、貯水タンク内に貯留された洗浄水により洗浄を行うトイレ装置であって、汚物を受けるボウル部と、このボウル部内の汚物及び洗浄水を排出するための排水トラップ管路と、を備えた水洗大便器本体と、この水洗大便器本体のボウル部上方に配置された便座機能装置と、この便座機能装置よりも後方の、水洗大便器本体の上面に載置された貯水タンクと、を有し、貯水タンクの底面には、便座機能装置から延びる給水管及び／又は電気ケーブルが、水洗大便器本体の上面と、この上面に載置された貯水タンクの底面との間を通って水洗大便器本体の後方の縁部まで延びることを可能にする切欠部が設けられ、切欠部は、正面視において便座機能装置の後方に隠蔽されることを特徴としている。
【００１１】
このように構成された本発明においては、ボウル部と排水トラップ管路を備えた水洗大便器本体の上に便座機能装置が配置され、この便座機能装置の後方の、水洗大便器本体の上面に貯水タンクが載置される。貯水タンクの底面には切欠部が設けられ、これにより便座機能装置から延びる給水管及び／又は電気ケーブルは、水洗大便器本体の上面と貯水タンクの底面との間を通って水洗大便器本体の後方の縁部まで延びている。また、切欠部は、正面視において便座機能装置の後方に隠蔽される。
【００１２】
このように構成された本発明によれば、給水管及び／又は電気ケーブルを通す切欠部は、正面視において便座機能装置の後方に隠蔽されているので、正面視において給水管及び／又は電気ケーブルが露出することはなく、トイレ装置の意匠性を向上させることができる。また、切欠部が便座機能装置の後方に隠蔽されるので、切欠部を隠蔽するためのカバー等を設ける必要がなく、トイレ装置の構成をシンプルにすることができる。さらに、給水管及び／又は電気ケーブルは、水洗大便器本体の上面上を通るため、給水管及び／又は電気ケーブルを通すための開口部を設ける必要がなく、このような開口部を設けたことによる水侵入のリスクを回避することができる。
【００１３】
本発明において、好ましくは、切欠部は、貯水タンクの底面の側方縁部に沿って、貯水タンクの前端から後端まで延びている。
このように構成された本発明によれば、切欠部が貯水タンクの底面の側方縁部に沿って設けられているので、貯水タンクを水洗大便器本体の上面上に載置した後でも、切欠部に給水管及び／又は電気ケーブルを収納することができ、給水管及び／又は電気ケーブルを正面視において極めて容易に隠蔽することができる。また、上記のように構成された本発明によれば、給水管及び／又は電気ケーブルを側方から切欠部に押し込むことができるので、切欠部は、給水管及び／又は電気ケーブルを配置することができる最小限の断面積にすることができる。このため、給水管や電気ケーブルのコネクタを通すための大きな断面積を必要とせず、容易に隠蔽することができる。
【００１４】
本発明において、好ましくは、切欠部には、切欠部の中に配置された給水管及び／又は電気ケーブルが、貯水タンクの側方にはみ出すのを規制するための規制部が設けられている。
【００１５】
このように構成された本発明によれば、切欠部に規制部が設けられているので、切欠部が貯水タンク底面の側方縁部に設けられ、収納されている給水管及び／又は電気ケーブルが側面視において露出している場合であっても、給水管及び／又は電気ケーブルが切欠部からはみ出すのを効果的に防止することができる。
【００１６】
本発明において、好ましくは、切欠部は、貯水タンクの底面に、貯水タンクの前端から後端まで延びるように形成された溝により形成されている。
このように構成された本発明によれば、給水管及び／又は電気ケーブルは、貯水タンクの底面に形成された溝と、水洗大便器本体の上面によって囲まれた通路内を通るため、収納された給水管及び／又は電気ケーブルが、設置後に露出するのを確実に防止することができる。
【００１７】
本発明において、好ましくは、貯水タンクは、洗浄水を収容する内側タンクと、この内側タンクの外側を覆う外装タンクと、を備え、溝は外装タンクの底面に設けられると共に、外装タンクの底面の側縁と溝との間には、外装タンクの内側に溜まった水を排出するための水抜穴が形成されている。
【００１８】
貯水タンクを構成する外装タンクの底面に溝を設けた場合には、外装タンクの内側には、その側縁と溝の間に凹部が形成され、外装タンク内で発生した結露水等がこの凹部に溜まる可能性がある。上記のように構成された本発明によれば、外装タンクの底面の側縁と溝との間に水抜穴が形成されているので、外装タンク内で発生した結露水等が凹部に溜まるのを防止することができる。
【００１９】
本発明において、好ましくは、貯水タンクの底面には、溝の中に収容した給水管及び／又は電気ケーブルを、溝の中に保持するための保持部材が設けられている。
【００２０】
このように構成された本発明によれば、貯水タンクの底面に保持部材が設けられているので、貯水タンクを水洗大便器の上面に載置していない状態においても、底面の溝の中に給水管及び／又は電気ケーブルを保持しておくことができ、トイレ装置設置時の作業性を向上させることができる。
【発明の効果】
【００２１】
本発明によれば、便座機能装置から延びる給水管及び／又は電気ケーブルを、容易に水洗大便器の後方へ引き出すことができると共に、正面視において給水管や電気ケーブルが隠蔽された意匠性に優れたトイレ装置を提供することができる。
【図面の簡単な説明】
【００２２】
【図１】本発明の第１実施形態によるトイレ装置の側面図である。
【図２】本発明の第１実施形態によるトイレ装置の正面図である。
【図３】本発明の第１実施形態によるトイレ装置を、貯水タンクを取り外した状態で示す斜視図である。
【図４】本発明の第１実施形態によるトイレ装置に使用される貯水タンクを斜め下方から見た斜視図である。
【図５】本発明の第１実施形態の変形例における貯水タンクの断面図である。
【図６】本発明の第２実施形態のトイレ装置に使用される貯水タンクの斜視図である。
【図７】本発明の第２実施形態のトイレ装置に使用される貯水タンクの断面図である。
【図８】本発明の第２実施形態の変形例における貯水タンクの断面図である。
【発明を実施するための形態】
【００２３】
次に、添付図面を参照して、本発明の好ましい実施形態を説明する。
まず、図１乃至図４を参照して、本発明の第１実施形態によるトイレ装置を説明する。図１は本実施形態によるトイレ装置の側面図であり、図２は本実施形態によるトイレ装置の正面図である。図３は、トイレ装置を、貯水タンクを取り外した状態で示す斜視図である。図４は、本実施形態によるトイレ装置に使用される貯水タンクを斜め下方から見た斜視図である。
【００２４】
図１及び図２に示すように、本実施形態のトイレ装置１は、水洗大便器本体２と、この水洗大便器本体２の上面に配置された便座機能装置である衛生洗浄装置４と、水洗大便器本体２の上面後部に取り付けられた貯水タンク６と、を有する。
本実施形態のトイレ装置１は、トイレ室の壁面に取り付けられたリモコン（図示せず）を操作することにより、貯水タンク６内に貯留された洗浄水が吐出され、水洗大便器本体２を洗浄するように構成されている。また、リモコン（図示せず）を操作することにより、衛生洗浄装置４の洗浄ノズル（図示せず）から洗浄水が噴射され、使用者の局部を洗浄することができるように構成されている。
【００２５】
図１に示すように、水洗大便器本体２は、汚物を受けるボウル部２ａと、このボウル部２ａ内の汚物及び洗浄水を排出するための排水トラップ管路２ｂと、を備えている。これにより、使用者がリモコン（図示せず）を操作することにより、貯水タンク６内の洗浄水がボウル部２ａに吐出され、ボウル部２ａ壁面が洗浄されると共に、ボウル部２ａ内の汚物が洗浄水と共に排水トラップ管路２ｂを通って排出される。なお、本実施形態においては、水洗大便器本体２は、陶器製であるが、樹脂等、他の材料製の水洗大便器本体を本発明に適用することもできる。また、図１に示すように、本明細書において、トイレ装置１や水洗大便器本体２の「後方」とは貯水タンク６が配置された側を意味し、「前方」とはその反対の側を意味している。
【００２６】
衛生洗浄装置４は、水洗大便器本体２の上面２ｃに、ボウル部２ａの上方を覆うように配置されており、使用者が着座する便座部４ａと、この便座部４ａの後方に配置された機能部４ｂと、これら便座部４ａ及び機能部４ｂを覆う便座カバー４ｃと、を有する。機能部４ｂには、局部洗浄用のノズル（図示せず）が備えられており、使用者がリモコン（図示せず）を操作することにより、ノズルが前方にせり出し、局部洗浄用の洗浄水を噴射して使用者の局部を洗浄するように構成されている。
【００２７】
さらに、機能部４ｂの後端の、一方の側端部には、電気ケーブルである電源コード１０及び給水管８が接続されており、これらは衛生洗浄装置４の機能部４ｂから水洗大便器本体２の後方へ向けて延びている。これらの給水管８及び電源コード１０は、コネクタ（図示せず）を介して機能部４ｂに着脱可能に接続されていても良いし、着脱不能に直接接続されていても良い。
【００２８】
本実施形態においては、給水管８は、局部洗浄用のノズル（図示せず）から噴射される洗浄水を機能部４ｂに供給するために設けられている。また、電源コード１０は、局部洗浄用のノズル（図示せず）を作動させ、洗浄水を加圧してノズルから噴射させるポンプ（図示せず）を作動させる電力を供給するために接続されている。さらに、電源コード１０により供給される電力は、便座部４ａに備えられた電気ヒーター（図示せず）により便座部４ａを加温するためにも使用される。なお、本実施形態においては、電気ケーブルとして、電力を供給するための電源コード１０が備えられているが、電気ケーブルはセンサ等の電気信号を伝送するためのケーブルであっても良い。
【００２９】
貯水タンク６は、衛生洗浄装置４よりも後方の、水洗大便器本体２の上面２ｃに載置されている。また、貯水タンク６は、洗浄水を収容する内側タンク６ａと、この内側タンク６ａの外側を覆う外装タンク６ｂと、を備えている。本実施形態においては、外装タンク６ｂは陶器製であり、この外装タンク６ｂの内部に樹脂製の内側タンク６ａが収容されている。また、貯水タンク６には排水弁（図示せず）が備えられており、使用者がリモコン（図示せず）を操作することにより排水弁が開弁され、内側タンク６ａに貯留されている便器洗浄用の洗浄水が水洗大便器本体２のボウル部２ａに流入するように構成されている。
【００３０】
さらに、図３に示すように、水洗大便器本体２の上面２ｃの後部は平坦に形成されており、この平坦な上面２ｃ上には貯水タンク６を受けるための複数の突起６ｃが形成され、この突起６ｃの上に貯水タンク６が載置され、固定されている。また、衛生洗浄装置４の後部から延びる給水管８及び電源コード１０は、水洗大便器本体２の平坦な上面２ｃ上を、水洗大便器本体２の後方の縁部２ｄまで延びている。なお、本明細書において、水洗大便器本体２の「後方の縁部２ｄ」とは、水洗大便器本体２の上面２ｃの、後方側の端縁全体を意味している。本実施形態においては、図３に示すように、水洗大便器本体２上面２ｃは、その左右方向の中央部が後方に向けて突出しているので、「後方の縁部２ｄ」のうちの両端の部分は、水洗大便器本体２の後端２ｅよりも前方側に位置している。
【００３１】
また、図４に示すように、貯水タンク６（外装タンク６ｂ）の底面６ｄは平坦に形成されており、この底面６ｄの一方の側縁を切り欠くことにより切欠部６ｅが形成されている。この切欠部６ｅは、貯水タンク６の底面６ｄの側方縁部に沿って、貯水タンク６の前端から後端まで延びている。さらに、図１に示すように、貯水タンク６の切欠部６ｅには、衛生洗浄装置４の機能部４ｂから延びる給水管８及び電源コード１０が収容され、これらは水洗大便器本体２の上面２ｃの後方の縁部２ｄまで延びている。即ち、貯水タンク６の底面６ｄに切欠部６ｅを設けることにより、給水管８及び電源コード１０が、水洗大便器本体２の平坦に形成された上面２ｃと、この上面２ｃに載置された貯水タンク６の底面６ｄとの間を通って水洗大便器本体２の後方の縁部２ｄまで延びることを可能にしている。
【００３２】
さらに、図２に示すように、貯水タンク６の切欠部６ｅは、正面視において衛生洗浄装置４の後方に隠蔽され、正面から視認できない位置に形成されている。また、切欠部６ｅの中に給水管８及び電源コード１０を収容することにより、これらの給水管８及び電源コード１０も衛生洗浄装置４の後方に隠蔽され、正面から視認できない状態となる。
【００３３】
また、トイレ装置１の施工時においては、まず、水洗大便器本体２をトイレ室の床面に設置し、この水洗大便器本体２の上面２ｃ後部に貯水タンク６を取り付ける。次に、水洗大便器本体２のボウル部２ａを覆うように、衛生洗浄装置４を水洗大便器本体２の上面２ｃに配置する。さらに、衛生洗浄装置４の機能部４ｂから後方に向けて延びる給水管８及び電源コード１０を、水洗大便器本体２の上面２ｃと貯水タンク６の切欠部６ｅの間に側方から押し込み、切欠部６ｅの中に収容する。
【００３４】
水洗大便器本体２の後方の縁部２ｄを越えて延びる給水管８は、水洗大便器本体２の後ろ側で適宜ループさせ、切欠部６ｅから側方にはみ出しにくいように処理する。同様に、水洗大便器本体２の後方に延びる電源コード１０も水洗大便器本体２の後ろ側で適宜束ね、切欠部６ｅから側方にはみ出しにくいように処理する。これにより、衛生洗浄装置４から延びる給水管８及び電源コード１０は、正面視において使用者から殆ど視認できない状態となり、トイレ装置１を意匠性に優れたものにすることができる。
【００３５】
本発明の第１実施形態のトイレ装置１によれば、給水管８及び電源コード１０を通す切欠部６ｅは、正面視において衛生洗浄装置４の後方に隠蔽されているので（図２）、正面視において給水管８及び電源コード１０が露出することはなく、トイレ装置１の意匠性を向上させることができる。また、切欠部６ｅが衛生洗浄装置４の後方に隠蔽されるので、切欠部６ｅを隠蔽するためのカバー等を設ける必要がなく、トイレ装置１の構成をシンプルにすることができる。
【００３６】
また、本実施形態のトイレ装置１によれば、切欠部６ｅが貯水タンク６の底面６ｄの側方縁部に沿って設けられているので、貯水タンク５を水洗大便器本体２の上面２ｃ上に載置した後でも、切欠部６ｅに給水管８及び電源コード１０を収納することができ、給水管８及び電源コード１０を正面視において極めて容易に隠蔽することができる。また、給水管８及び電源コード１０を側方から切欠部６ｅに押し込むことができるので、切欠部６ｅは、給水管８及び電源コード１０を配置することができる最小限の断面積にすることができる。このため、給水管８及び電源コード１０のコネクタを通すための大きな断面積を必要とせず、容易に隠蔽することができる。
【００３７】
次に、図５を参照して、本発明の第１実施形態の変形例を説明する。
図５は本変形例における貯水タンクの断面図であり、本変形例の構成は貯水タンクを除き、第１実施形態と同一である。
【００３８】
図５に示すように、本変形例における貯水タンク２０は、洗浄水を収容する内側タンク２０ａと、この内側タンク２０ａの外側を覆う外装タンク２０ｂと、を備えている。本変形例においても、外装タンク２０ｂは陶器製であり、内側タンク２０ａは樹脂製である。また、貯水タンク２０（外装タンク２０ｂ）の底面２０ｄは平坦に形成されており、この底面２０ｄの一方の側縁を切り欠くことにより切欠部２０ｅが形成されている。この切欠部２０ｅは、概ね正方形の断面を有し、貯水タンク２０の底面２０ｄの側方縁部に沿って、貯水タンク２０の前端から後端まで延びている。
【００３９】
さらに、切欠部２０ｅが形成されている側の貯水タンク２０の側壁は、切欠部２０ｅを超えて下方に突出しており、この突出した部分が切欠部２０ｅの規制部２０ｆを構成している。このように規制部２０ｆを設けることにより、切欠部２０ｅと水洗大便器本体２の上面２ｃによって囲まれた空間の出口が狭くされる。この規制部２０ｆにより、切欠部２０ｅの中に配置された給水管８及び電源コード１０が、貯水タンク２０の側方にはみ出すのが規制される。これにより、トイレ装置の設置後に、給水管８や電源コード１０が偶発的に貯水タンク２０の側方にはみ出すのを抑制することができる。
【００４０】
本変形例のトイレ装置１によれば、切欠部２０ｅに規制部２０ｆが設けられているので、切欠部２０ｅが貯水タンク２０底面２０ｄの側方縁部に設けられ、収納されている給水管８及び電源コード１０が側面視において露出している場合であっても、これらが切欠部２０ｅからはみ出すのを効果的に防止することができる。
【００４１】
次に、図６及び図７を参照して、本発明の第２実施形態によるトイレ装置を説明する。
本実施形態のトイレ装置は、貯水タンクの構成が上述した第１実施形態とは異なる。従って、ここでは、本発明の第２実施形態の、第１実施形態とは異なる部分のみを説明し、同様の構成、作用、効果については説明を省略する。図６は本発明の第２実施形態のトイレ装置に使用される貯水タンクの斜視図であり、図７は、断面図である。
【００４２】
図６及び図７に示すように、本実施形態における貯水タンク３０は、洗浄水を収容する内側タンク３０ａと、この内側タンク３０ａの外側を覆う外装タンク３０ｂと、を備えている。本実施形態においても、外装タンク３０ｂは陶器製であり、内側タンク３０ａは樹脂製である。また、貯水タンク３０（外装タンク３０ｂ）の底面３０ｄは平坦に形成されており、この底面３０ｄの一方の側部寄りの位置に、貯水タンク３０の前後方向に延びる切欠部３０ｅが形成されている。この切欠部３０ｅは、概ね正方形の断面を有する溝として形成され、貯水タンク３０の底面３０ｄの前端から後端まで設けられている。
【００４３】
このように切欠部３０ｅを溝によって形成することにより、貯水タンク３０を水洗大便器本体２の上に載置した状態では、切欠部３０ｅの中に配置された給水管８及び電源コード１０は、切欠部３０ｅの内壁面と水洗大便器本体２の上面２ｃによって周囲を完全に囲まれる。このため、トイレ装置の設置後に、切欠部３０ｅの中に収容した給水管８や電源コード１０が偶発的に貯水タンク３０の側方にはみ出すのを確実に防止することができる。
【００４４】
また、貯水タンク３０の底面３０ｄに切欠部３０ｅを溝として設けることにより、図７に示すように、外装タンク３０ｂの内側には、切欠部３０ｅと外装タンク３０ｂの側壁面の間に凹部３０ｆが形成される。外装タンク３０ｂは洗浄水を直接収容するための部材ではないため、通常、内側タンク３０ａと外装タンク３０ｂの間には水は存在しないが、外装タンク３０ｂの内側に結露が発生した場合等には、結露水が凹部３０ｆに流入する可能性がある。このように、流入した結露水等が凹部３０ｆに溜まるのを防止するため、凹部３０ｆの底面（外装タンク３０ｂの底面）には、水抜穴３０ｇ（図６）が形成されている。このように水抜穴３０ｇを設けておくことにより、外装タンク３０ｂの内側で発生した結露水等が凹部３０ｆに溜まるのを防止することができる。
【００４５】
さらに、図７に示すように、本実施形態においては、切欠部３０ｅに保持部材３２が取り付けられ、この保持部材３２は切欠部３０ｅの中に収容された給水管８及び電源コード１０を切欠部３０ｅの溝の中に保持する。保持部材３２は、概ねＵ字形の断面に湾曲された薄い金属板によって形成されており、弾性変形させた状態で切欠部３０ｅに押し込むことにより、切欠部３０ｅの中に保持されるように構成されている。給水管８及び電源コード１０を切欠部３０ｅの溝の中に収容した状態で保持部材３２を切欠部３０ｅに取り付けることにより、貯水タンク３０を水洗大便器本体２の上に載置していない状態においても、給水管８及び電源コード１０を切欠部３０ｅの中に保持することができる。
【００４６】
トイレ装置の施工時においては、まず、水洗大便器本体２をトイレ室の床面に設置し、この水洗大便器本体２の上面２ｃにボウル部２ａを覆うように、衛生洗浄装置４を配置する。さらに、衛生洗浄装置４の機能部４ｂから後方に向けて延びる給水管８及び電源コード１０を、貯水タンク３０の切欠部３０ｅの中に配置し、この状態で切欠部３０ｅに保持部材３２を嵌め込む。これにより、給水管８及び電源コード１０は、貯水タンク３０底面３０ｄの切欠部３０ｅの中に保持される。
【００４７】
この状態で、貯水タンク３０を水洗大便器本体２の上面２ｃ後部に配置し、取り付ける。給水管８及び電源コード１０は保持部材３２によって切欠部３０ｅの中に保持されているので、給水管８及び電源コード１０が貯水タンク３０を配置する際に切欠部３０ｅの溝から外れ、貯水タンク３０の底面３０ｄと水洗大便器本体２の上面２ｃの間に挟まれてしまうのを防止することができる。貯水タンク３０が水洗大便器本体２上に載置された状態では、給水管８及び電源コード１０は切欠部３０ｅの内壁面と水洗大便器本体２の上面２ｃによって周囲を完全に囲まれるので、これらが貯水タンク３０の側面にはみ出すのを確実に防止することができる。これにより、衛生洗浄装置４から延びる給水管８及び電源コード１０は、正面視において使用者から殆ど視認できない状態となり、トイレ装置を意匠性に優れたものにすることができる。
【００４８】
本発明の第２実施形態のトイレ装置によれば、給水管８及び電源コード１０は、貯水タンク３０の底面３０ｄに形成された溝として形成された切欠部３０ｅと、水洗大便器本体２の上面２ｃによって囲まれた通路内を通るため、収納された給水管８及び電源コード１０が、設置後に露出するのを確実に防止することができる。
【００４９】
また、本実施形態のトイレ装置によれば、外装タンク３０ｂの底面３０ｄの側縁と溝である切欠部３０ｅとの間に水抜穴３０ｇが形成されているので、外装タンク３０ｂ内で発生した結露水等が凹部３０ｆに溜まるのを防止することができる。
【００５０】
さらに、本実施形態のトイレ装置によれば、貯水タンク３０の底面３０ｄに保持部材３２が設けられているので、貯水タンク３０を水洗大便器２の上面２ｃに載置していない状態においても、底面３０ｄの切欠部３０ｅである溝の中に給水管８及び電源コード１０を保持しておくことができ、トイレ装置設置時の作業性を向上させることができる。
【００５１】
次に、図８を参照して、本発明の第２実施形態の変形例を説明する。
図８は本変形例における貯水タンクの断面図であり、本変形例の構成は貯水タンクを除き、第２実施形態と同一である。
【００５２】
図８に示すように、本変形例における貯水タンク４０は、洗浄水を収容する内側タンク４０ａと、この内側タンク４０ａの外側を覆う外装タンク４０ｂと、を備えている。本変形例においても、外装タンク４０ｂは陶器製であり、内側タンク４０ａは樹脂製である。また、貯水タンク４０（外装タンク４０ｂ）の底面４０ｄは平坦に形成されており、この底面４０ｄの一方の側縁を切り欠くことにより切欠部４０ｅが形成されている。この切欠部４０ｅは、概ね正方形の断面を有し、貯水タンク４０の底面４０ｄの側方縁部に沿って、貯水タンク４０の前端から後端まで延びている。
【００５３】
さらに、切欠部４０ｅが形成されている側の貯水タンク４０の側壁は、下方に突出し、外装タンク４０ｂの下端まで達している。これにより、貯水タンク４０の底面４０ｄの側方縁部に沿って溝形の切欠部４０ｅが構成される。このように外装タンク４０ｂの側壁を外装タンク４０ｂの下端まで突出させることにより、切欠部４０ｅと水洗大便器本体２の上面２ｃによって周囲を完全に囲まれた空間が形成される。このように形成された切欠部４０ｅにより、中に配置された給水管８及び電源コード１０が、貯水タンク４０の側方にはみ出すのが規制される。これにより、トイレ装置の設置後に、給水管８や電源コード１０が偶発的に貯水タンク４０の側方にはみ出すのを確実に防止することができる。また、溝形の切欠部４０ｅを、側壁を外装タンク４０ｂの下端まで突出させて構成することにより、外装タンク４０ｂの内側に凹部が形成されることがないため、水抜穴を設ける必要がない。
【００５４】
以上、本発明の好ましい実施形態を説明したが、上述した実施形態に種々の変更を加えることができる。特に、上述した第１、第２実施形態のトイレ装置では、便座機能装置として衛生洗浄装置が備えられていたが、局部洗浄機能を備えない便座機能装置を本発明のトイレ装置に適用することもできる。この場合には、便座加温用の電源コード等の電気ケーブルのみが貯水タンクの切欠部の中に収容される。
【符号の説明】
【００５５】
１    トイレ装置
２    水洗大便器本体
２ａ  ボウル部
２ｂ  排水トラップ管路
２ｃ  上面
２ｄ  後方の縁部
２ｅ  後端
４    衛生洗浄装置（便座機能装置）
４ａ  便座部
４ｂ  機能部
４ｃ  便座カバー
６    貯水タンク
６ａ  内側タンク
６ｂ  外装タンク
６ｃ  突起
６ｄ  底面
６ｅ  切欠部
８    給水管
１０    電源コード（電気ケーブル）
２０    貯水タンク
２０ａ  内側タンク
２０ｂ  外装タンク
２０ｄ  底面
２０ｅ  切欠部
２０ｆ  規制部
３０    貯水タンク
３０ａ  内側タンク
３０ｂ  外装タンク
３０ｄ  底面
３０ｅ  切欠部
３０ｆ  凹部
３０ｇ  水抜穴
３２    保持部材
４０    貯水タンク
４０ａ  内側タンク
４０ｂ  外装タンク
４０ｄ  底面
４０ｅ  切欠部
【図１】
2019138022.tif 000003
【図２】
2019138022.tif 000004
【図３】
2019138022.tif 000005
【図４】
2019138022.tif 000006
【図５】
2019138022.tif 000007
【図６】
2019138022.tif 000008
【図７】
2019138022.tif 000009
【図８】
2019138022.tif 000010